(57)【特許請求の範囲】
【請求項１】
２つの壁掛け機器を所定の壁に位置決めして並設設置する壁掛け機器の位置決め装置において、前記所定の壁に取付ける全体形状略「I」字状を呈する位置決めプレートと、該位置決めプレートに相対向して形成された一対の溝部にそれぞれ挿入することによって位置決めされて前記所定の壁に設置される一対の壁掛け金具とを別体に形成することにより構成し、該両壁掛け金具に前記両壁掛け機器をそれぞれ係着することによって該両壁掛け機器を前記所定の壁に並設設置するようにしたことを特徴とする壁掛け機器の位置決め装置。
【請求項２】
２つの壁掛け機器の一方がテレビドアホンであり、他方が録画ユニットであることを特徴とする請求項１記載の壁掛け機器の位置決め装置。
【請求項３】
位置決めプレートに、両壁掛け機器間を接続するに必要な配線長を測長する配線測長部を形成したことを特徴とする請求項１または２記載の壁掛け機器の位置決め装置。
【請求項４】
配線測長部は、位置決めプレートに印刷により形成して構成したことを特徴とする請求項３記載の壁掛け機器の位置決め装置。
【請求項５】
配線測長部は、位置決めプレートに形成した切込みにより構成したことを特徴とする請求項３記載の壁掛け機器の位置決め装置。
【請求項６】
配線測長部は、位置決めプレートに形成した窪みにより構成したことを特徴とする請求項３記載の壁掛け機器の位置決め装置。
【請求項７】
位置決めプレートは、壁掛け機器の包装箱の一部を利用して構成したことを特徴とする請求項１乃至６のうちいずれか１に記載された壁掛け機器の位置決め装置。
【請求項８】
壁掛け機器の包装箱の一部が、該包装箱のフラップであることを特徴とする請求項７記載の壁掛け機器の位置決め装置。
【発明の詳細な説明】
【０００１】
【発明の属する技術分野】
本発明は、テレビドアホンと録画ユニットのような２つの壁掛け機器を所定の壁に位置決めして並設設置するための壁掛け機器の位置決め装置に関するものである。
【０００２】
【従来の技術】
従来この種の装置は、図９に示すように、２つの壁掛け機器１及び２を所定の壁３に並設設置する場合、連結金具４を用いていた。
【０００３】
この連結金具４は、金属或いはプラスチック等から構成され、壁掛け機器１及び２をそれぞれ係着するための壁掛け金具部５、６と、壁掛け金具部５、６がそれぞれ壁掛け機器１および２を所定の壁３に並設設置するように両壁掛け金具部５、６を位置決めするための位置決めプレート部７とを一体に形成して構成されており、ねじ８等により所定の壁３に取着されている。
【０００４】
【発明が解決しようとする課題】
しかしながら、従来の連結金具４は、壁掛け金具部５、６の互いの離間幅が位置決めプレート部７によって位置決めされると共に、これら壁掛け金具５、６及び位置決めプレート７を一体に成形して構成するものであるから、壁掛け機器の仕様によっては、壁掛け金具部５、６の係着手段部９、１０の形状・位置等仕様違いのものを数種類用意する必要がある場合がある。
【０００５】
このような場合、連結金具４は、壁掛け機器１、２の仕様に適合し、しかも位置決めプレート片部７が一体に成形された専用連結金具とせざるを得ず、このために、専用連結金具の種類毎に製作金型を用意する必要があり、この分型費或いは材料費等のコストが嵩み、あまり嵩む場合には、壁掛け機器１、２とは別売り部品とせざるを得なくなってしまう。
【０００６】
本発明は、上記の点に鑑み、型費及び材料費を極力削減すると共に、両壁掛け機器が容易に位置決めされて、所定壁に並設設置されるように意図した壁掛け機器の位置決め装置を提供することを目的としている。
【０００７】
【課題を解決するための手段】
上記目的を達成するために本発明の壁掛け機器の位置決め装置は、所定の壁に取付ける全体形状略「I」字状を呈する位置決めプレートと、該位置決めプレートに相対向して形成された一対の溝部にそれぞれ挿入することによって位置決めされて前記所定の壁に設置される一対の壁掛け金具とを別体に形成して構成するものであり、両壁掛け金具に両壁掛け機器をそれぞれ係着することによって両壁掛け機器を前記所定の壁に並設設置するようにしたものである。
【０００８】
上記構成によって、壁掛け機器を係着する壁掛け金具とこの壁掛け金具を位置決めする位置決めプレートとを別体で構成したことから、特に位置プレートを専用化する必要がなくなって、しかも、壁掛け金具の小型化を達成して、型費の削減が期待でき、しかも、位置決めプレートは壁掛け機器の係着に何ら関わらないために、壁掛け機器の包装箱等を利用して製作できることから、コストの低減も期待できる。
【０００９】
【発明の実施の形態】
請求項１に記載の本発明は、２つの壁掛け機器を所定の壁に位置決めして並設設置する壁掛け機器の位置決め装置において、前記所定の壁に取付ける全体形状略「I」字状を呈する位置決めプレートと、該位置決めプレートに相対向して形成された一対の溝部にそれぞれ挿入することによって位置決めされて前記所定の壁に設置される一対の壁掛け金具とから構成し、該両壁掛け金具に前記両壁掛け機器をそれぞれ係着することによって該両壁掛け機器を前記所定壁に並設設置するようにしたことを特徴とするものである。
【００１０】
この結果、壁掛け機器を係着する壁掛け金具とこの壁掛け金具を位置決めする位置決めプレートとを別体で構成したことになって、特に位置決めプレートを壁掛け機器の係着構造の仕様に適合するように専用品化する必要がなくなって、しかも、壁掛け金具の小型化を達成して、型費の削減が期待でき、しかも、位置決めプレートは壁掛け機器の係着に何ら関わらないために、壁掛け機器の包装箱等を利用して製作できることから、コストの低減も期待できる。
【００１１】
請求項２に記載の本発明は、請求項１に記載における２つの壁掛け機器の一方がテレビドアホンであり、他方が録画ユニットであることを特徴とするものである。
【００１２】
この結果、テレビドアホン及び録画ユニットを所定壁に係着するための壁掛け金具に対して、この壁掛け金具を所定壁に位置決めする位置偽めプレートを別体で構成したために、特に位置プレートを壁掛け機器の係着構造の仕様に適合するように専用品化する必要がなくなって、しかも、壁掛け金具の小型化を達成して、型費の削減が期待でき、しかも、位置決めプレートは壁掛け機器の係着に何ら関わらないために、テレビドアホン及び録画ユニットの包装箱等の段ボール紙を利用して製作できることから、コストの低減も期待できる。
【００１３】
請求項３に記載の本発明は、前記位置決めプレートに、前記両壁掛け機器間を接続するに必要な配線長を測長する配線測長部を形成したことを特徴とするものである。
【００１４】
この結果、配線測長部を利用して、両壁掛け機器間を接続する配線長を所定長さに設定することができ、これによって、配線が所定の壁に露出せず、美観向上となる。
【００１５】
請求項４に記載の本発明は、前記配線測長部が、前記位置決めプレートに印刷により形成して構成したことを特徴とするものである。
【００１６】
この結果、印刷された配線測長部を利用して、両壁掛け機器間を接続する配線長を所定長さに設定することができ、これによって、配線が所定の壁に露出せず、美観向上となる。
【００１７】
請求項５に記載の本発明は、 前記配線測長部が、前記位置決めプレートに形成した切込みにより構成したことを特徴とするものである。
【００１８】
この結果、切込みにより構成された配線測長部を利用して、両壁掛け機器間を接続する配線長を所定長さに設定することができ、これによって、配線が所定の壁に露出せず、美観向上となる。
【００１９】
請求項６に記載された本発明は、 前記配線測長部が、前記位置決めプレートに形成した窪みにより構成したことを特徴とするものである。
【００２０】
この結果、窪みにより構成された配線測長部を利用して、両壁掛け機器間を接続する配線長を所定長さに設定することができ、これによって、配線が所定の壁に露出せず、美観向上となる。
【００２１】
請求項７に記載の本発明は、 前記位置決めプレートは、前記壁掛け機器の包装箱の一部を利用して構成したことを特徴とするものである。
【００２２】
この結果、位置決めプレートの製作型費や材料コストを削減することができると共に、壁掛け機器の取出し後は廃品となってしまう包装箱の有効利用を果すことができる。
【００２３】
請求項８に記載の本発明は、 前記壁掛け機器の包装箱の一部が、該包装箱のフラップであることを特徴とするものである。
【００２４】
この結果、位置決めプレートの製作型費や材料コストを削減することができると共に、壁掛け機器の取出し後は廃品となってしまう包装箱の有効利用を果すことができる。
【００２５】
以下本発明における実施の形態について、図面を参照しながら説明する。
【００２６】
まず図１および図２に示す本発明における実施の形態について説明すると、図１は壁掛け機器を所定の壁から取外した状態を示す斜視図であり、図２は位置決めプレートの斜視図である。
【００２７】
図１において、１４及び１５は、所定の壁１３に並設設置される壁掛け機器、１４は壁掛け機器１１及び１２をそれぞれ所定の壁１３に並設設置すべく係着する壁掛け金具、１６は壁掛け金具１４及び１５を、所定間隙明けて所定の壁１３に位置決めする位置決めプレートである。
【００２８】
位置決めプレート１６は、図２に示すように、プラスチック或いは段ボール等の成形品から構成し、且つ、相対向して一対の溝部１６ａ，１６ｂを形成すべく全体構成が「Ｉ」状を呈しており、所定の壁１３に接着剤或いは鋲等の固着手段により設置されるようになっている。この結果、一対の溝部１６ａ，１６ｂにそれぞれ、壁掛け金具１４及び１５を上下両端部の一部を嵌合することによって、壁掛け金具１４及び１５を所定の壁１３に位置決めすることができる。
【００２９】
そして、壁掛け金具１４及び１５は、位置決めプレート１６によって位置決めされた状態で、ねじ１８等を用いて所定の壁１３に設置され、又、それぞれ複数個の係着手段部１９、２０が形成されており、この係着手段部１９、２０に壁掛け機器１１、１２の背面に設けた係着部(不図示)を係着することによって、所定の壁１３に壁掛け機器１１、１２を並設設置するようになっている。
【００３０】
上記のように構成することによって、壁掛け機器１１、１２を所定の壁１３に係着する壁掛け金具１４、１５とこの壁掛け金具１４、１５を位置決めする位置決めプレート１６とを別体で構成したことになって、特に位置決めプレート１６を壁掛け機器１１、１２の係着構造の仕様に適合するように専用品化する必要がなくなって、しかも、壁掛け金具１４、１５の小型化を達成して、型費の削減が期待でき、しかも、位置決めプレート１６は壁掛け機器の係着に何ら関わらないために、壁掛け機器１１、１２の包装箱等を利用して製作できることから、コストの低減も期待できると共に、包装箱等の有効利用を図ることができる。
【００３１】
図３は、本発明における他の実施の形態を示す図１と同様の斜視図であり、この実施の形態においては、前記図１における実施の形態の壁掛け機器１１、１２を、それぞれ、テレビドアホン２１及び録画ユニット２２とした点が異なるもので、他の構成は図１における実施の形態の構成と同様であるので、同一符号を付すことによって詳細な説明を省略する。
【００３２】
図４乃至図６は、本発明による位置決めプレート１６における他の実施の形態を示すもので、そのうち、図４に示すものは、略Ｕ字状を呈する配線測長部２３を形成したものであり、黒インク等による印刷を施すことによって形成されている。又、図５に示すものは、配線測長部２３として、位置決めプレート１６に切込みを刻設することによって構成しており、図６に示すものは同じく窪みを設けることにより構成するものである。
【００３３】
この結果、配線測長部２３の全体長に見合う配線長を有する配線を作成すれば、壁掛け機器１１、１２(或いはテレビドアホン２１および録画ユニット２２)を接続するに必要な所定長さの配線となって、接続後に、配線が所定の壁に露出せず、美観向上となる。
【００３４】
図７は、壁掛け機器１１、１２（或いはテレビドアホン２１および録画ユニット２２）を収容するための包装箱の斜視図であり、この包装箱２４内に、段ボール製の位置決めプレート１６を収容している。又、図８は、同じく、壁掛け機器１１、１２（或いはテレビドアホン２１および録画ユニット２２）を収容するための包装箱の斜視図であり、この包装箱２４の一部例えばフラップ２５にミシン目２６を施すことによって、切り離し可能として、切り離した部分により位置決めプレート１６を形成できるようになっている。
【００３５】
この結果、図７及び図８に示す位置決めプレート１６は、その製作型費や材料コストを削減することができると共に、壁掛け機器の取出し後は廃品となってしまう包装箱２４の有効利用を果すことができる。
【００３６】
【発明の効果】
以下のように本発明は、２つの壁掛け機器を所定の壁に位置決めして並設設置する壁掛け機器の位置決め装置において、前記所定の壁に取付ける全体形状略「I」字状を呈する位置決めプレートと、該位置決めプレートに相対向して形成された一対の溝部にそれぞれ挿入することによって位置決めされて前記所定の壁に設置される一対の壁掛け金具とから構成し、該両壁掛け金具に前記両壁掛け機器をそれぞれ係着することによって該両壁掛け機器を前記所定壁に並設設置するようにしたことから、壁掛け機器を係着する壁掛け金具とこの壁掛け金具を位置決めする位置決めプレートとを別体で構成したことになって、特に位置決めプレートを壁掛け機器の係着構造の仕様に適合するように専用品化する必要がなくなって、しかも、壁掛け金具の小型化を達成して、型費の削減が期待でき、しかも、位置決めプレートは壁掛け機器の係着に何ら関わらないために、壁掛け機器の包装箱等を利用して製作できることから、コストの低減も期待できる。
【図面の簡単な説明】
【図１】本発明における実施の形態における壁掛け機器を所定の壁から取外した状態で示す斜視図
【図２】図１における位置決めプレートの斜視図
【図３】本発明における他の実施の形態における壁掛け機器を所定の壁から取外した状態で示す斜視図
【図４】図１における位置決めプレートにおける他の実施の形態を示す平面図
【図５】図１における位置決めプレートにおける更に他の実施の形態を示す一部斜視図
【図６】図１における位置決めプレートにおける更に異なる他の実施の形態を示す一部斜視図
【図７】本発明による壁掛け機器を包装する包装箱の一例を示す斜視図
【図８】本発明による壁掛け機器を包装するの他の例を示す斜視図
【図９】従来における壁掛け機器を所定の壁から取外した状態で示す斜視図
【符号の説明】
１１、１２  壁掛け機器
１３  所定の壁
１４、１５  壁掛け金具
１６  位置決めプレート
２１  テレビドアホン
２２  録画ユニット
２３  配線測長部
２４  包装箱
２５  フラップ
２６  ミシン目
【図１】
0004183808.tif 000002
【図２】
0004183808.tif 000003
【図３】
0004183808.tif 000004
【図４】
0004183808.tif 000005
【図５】
0004183808.tif 000006
【図６】
0004183808.tif 000007
【図７】
0004183808.tif 000008
【図８】
0004183808.tif 000009
【図９】
0004183808.tif 000010